【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
シートにトナー像を形成する画像形成手段と、
回転可能な加熱回転体と前記加熱回転体に圧接する回転可能な加圧回転体とを備え、前記加熱回転体と前記加圧回転体とのニップ部によって、前記画像形成手段によりトナー像が形成されたシートを加熱および加圧して前記トナー像を前記シートに定着させる定着手段と、
前記シートの搬送方向において前記ニップ部の下流に配置され、前記シートを検知する第１の検知手段と、
前記搬送方向において前記第１の検知手段の下流に配置され、前記シートを検知する第２の検知手段と、
前記定着手段が前記ニップ部でシートを挟持搬送するように前記定着手段を駆動させる駆動手段と、
前記第１の検知手段が前記シートを検知してから前記第１の検知手段が前記シートを検知しなくなるまでの検知時間が、第１の所定時間より短い場合、前記駆動手段を停止させ、前記第１の検知手段がシートを検知している状態で前記第２の検知手段が前記シートを検知してから前記第２の検知手段が前記シートを検知しなくなるまでの検知時間が、第２の所定時間より短い場合、前記駆動手段を停止させる制御手段と、
を有することを特徴とする画像形成装置。
【請求項２】
前記第１の所定時間は、所定の搬送速度で搬送されている前記シートの先端部が前記第１の検知手段を通過した時から前記シートの後端部が前記第１の検知手段を通過する時までにかかる時間よりも短い時間に設定されることを特徴とする請求項１に記載の画像形成装置。
【請求項３】
前記第２の所定時間は、所定の搬送速度で搬送されている前記シートの先端部が前記第１の検知手段を通過した時から前記シートの後端部が前記ニップ部を通過する時までにかかる時間よりも短い時間に設定されることを特徴とする請求項１に記載の画像形成装置。
【請求項４】
前記第２の所定時間は、所定の搬送速度で搬送されている前記シートの先端部が前記第２の検知手段を通過した時から前記シートの後端部が前記第２の検知手段を通過する時までにかかる時間よりも短い時間に設定されることを特徴とする請求項１に記載の画像形成装置。
【請求項５】
前記第２の所定時間は、所定の搬送速度で搬送されている前記シートの先端部が前記第２の検知手段を通過した時から前記シートの後端部が前記ニップ部を通過する時までにかかる時間よりも短い時間に設定されることを特徴とする請求項１に記載の画像形成装置。
【請求項６】
前記搬送方向において前記ニップ部の上流に配置され、前記シートを検知する第３の検知手段をさらに備え、
前記第３の検知手段と前記ニップ部との間の距離をａ、前記ニップ部と前記第１の検知手段との間の距離をｂ、前記第１の検知手段と前記第２の検知手段との間の距離をｃ、前記駆動手段を停止してから前記加熱回転体が停止するまでに前記シートが移動する距離をｚ、前記画像形成装置において搬送を許可された最小サイズのシートの前記搬送方向における長さをｅｍｉｎとしたときに、
ｅｍｉｎ＞ａ＋ｂ＋２ｃ＋ｚ
の関係を満たすことを特徴とする請求項４又は５に記載の画像形成装置。 
【請求項７】
ｃ＞ｚ
の関係を満たすことを特徴とする請求項６に記載の画像形成装置。
【手続補正２】
【補正対象書類名】明細書
【補正対象項目名】０００８
【補正方法】変更
【補正の内容】
【０００８】
上記課題を解決するために、画像形成装置は、
シートにトナー像を形成する画像形成手段と、
回転可能な加熱回転体と前記加熱回転体に圧接する回転可能な加圧回転体とを備え、前記加熱回転体と前記加圧回転体とのニップ部によって、前記画像形成手段によりトナー像が形成されたシートを加熱および加圧して前記トナー像を前記シートに定着させる定着手段と、
前記シートの搬送方向において前記ニップ部の下流に配置され、前記シートを検知する第１の検知手段と、
前記搬送方向において前記第１の検知手段の下流に配置され、前記シートを検知する第２の検知手段と、
前記定着手段が前記ニップ部でシートを挟持搬送するように前記定着手段を駆動させる駆動手段と、
前記第１の検知手段が前記シートを検知してから前記第１の検知手段が前記シートを検知しなくなるまでの検知時間が、第１の所定時間より短い場合、前記駆動手段を停止させ、前記第１の検知手段がシートを検知している状態で前記第２の検知手段が前記シートを検知してから前記第２の検知手段が前記シートを検知しなくなるまでの検知時間が、第２の所定時間より短い場合、前記駆動手段を停止させる制御手段と、
を有することを特徴とする。
【手続補正３】
【補正対象書類名】明細書
【補正対象項目名】００１５
【補正方法】変更
【補正の内容】
【００１５】
画像の形成は、まず、一次帯電器４に電圧を印加して感光体１の表面を予定の帯電部電位で一様にマイナス帯電させる。この帯電レベルは電位センサ３７により検出され、この検出結果をもとに一次帯電器４の出力強度はフィードバック制御される。続いて、レーザースキャナからなる露光装置５は、画像データをもとに、帯電された感光体１上の画像部分が予定の露光部電位になるように露光を行い潜像が形成される。露光装置５は画像データに基づいてオン・オフすることにより、画像に対応した潜像を形成する。
【手続補正４】
【補正対象書類名】明細書
【補正対象項目名】００１７
【補正方法】変更
【補正の内容】
【００１７】
感光体１上に現像された各色のトナー像は、転写帯電器９によって中間転写体としてのベルト２に順次転写されて、４色のトナー像が重ね合わされる。ベルト２を挟んで転写ベルト駆動ローラ１０と対向する位置にはベルトクリーナ１４が設けられていて、ベルト２上の残留トナーがブレードで掻き落とされる。
【手続補正５】
【補正対象書類名】明細書
【補正対象項目名】００３１
【補正方法】変更
【補正の内容】
【００３１】
以下、定着装置３においてジャムが発生するときの定着入口センサ２３９及び定着出口センサ２４０の検知信号を説明する。図４は、定着装置３において発生するジャムの説明図である。図５は、ジャム発生時の定着入口センサ２３９と定着出口センサ２４０の検知信号の変化を示す図である。以下、定着装置３に発生するジャムとして、巻き付きジャムと中巻き付きジャムを説明する。巻き付きジャムは、シートＰの先端部ＰＬが定着ローラ２１２に巻き付くことにより発生する。中巻き付きジャムは、シートＰの先端部ＰＬは定着ローラ２１２から剥離されているが、中間部ＰＭが定着ローラ２１２から剥離せずに巻き付いてしまうことにより発生する。
【手続補正６】
【補正対象書類名】明細書
【補正対象項目名】００４１
【補正方法】変更
【補正の内容】
【００４１】
以下、図５（ｃ）及び図７を用いて中巻き付きジャムの検知動作を説明する。図５（ｃ）は、図４（ｄ）に示すようなシートＰの定着ローラ２１２への中巻き付きジャムが発生したときの定着入口センサ２３９と定着出口センサ２４０の検知信号の状態を示す。シートＰの先端側にはトナーが付着されておらず、中間部ＰＭに高濃度のトナーが付着している場合、先端部ＰＬは定着ローラ２１２から剥離しているが、中間部ＰＭが剥離されずに定着ローラ２１２に巻きつくことがある。図４（ｂ）に示すようにシートＰの先端部ＰＬが定着出口センサ２４０に到達した後、シートＰの先端部ＰＬが搬送方向Ｘと反対の方向へ移動して図４（ｄ）に示すようにシートＰの先端部ＰＬが定着出口センサ２４０から離れる。従って、図５（ｃ）に示すように、図４（ｄ）の時点で、定着出口センサ２４０の検知信号は、ＨからＬへ切り替わる。
【手続補正７】
【補正対象書類名】明細書
【補正対象項目名】００５２
【補正方法】変更
【補正の内容】
【００５２】
中巻き付きジャムの発生に応じて定着モータ２６０を停止したときに、定着入口センサ２３９の上流にシートＰの後端部ＰＴが位置し、又は、定着出口センサ２４０の下流にシートＰの先端部ＰＬが位置するとよい。そのため、定着装置３は、次の式を満たすように構成されているとよい。
ｅｍｉｎ＞ａ＋ｂ＋２ｃ＋ｚ
ｃ＞ｚ
ここで、ａは、図８（ａ）に示すように、定着入口センサ２３９とニップ部ＮＰとの間の距離である。ｂは、ニップ部ＮＰと定着出口センサ２４０との間の距離である。ｅｍｉｎは、画像形成装置１００において搬送可能な最小サイズのシートＰｍｉｎの搬送方向Ｘにおける長さである。ｃは、定着出口センサ２４０と定着排出センサ２４１との間の距離である。ｚは、定着モータ２６０を停止させるための停止信号をモータ制御部１０７へ送信した時から定着ローラ２１２が実際に停止する時までに定着ローラ２１２が回転することによりシートＰが移動する距離である。
【手続補正８】
【補正対象書類名】明細書
【補正対象項目名】００６８
【補正方法】変更
【補正の内容】
【００６８】
中巻き付きジャムの発生に応じて定着モータ２６０を停止したときに、定着入口センサ２３９の上流にシートＰの後端部ＰＴが位置し、又は、定着出口センサ２４０の下流にシートＰの先端部ＰＬが位置するとよい。そのため、定着装置３は、次の式を満たすように構成されているとよい。
ｅｍｉｎ＞ａ＋ｂ＋２ｄ＋ｚ
ここで、ａは、図１１（ａ）に示すように、定着入口センサ２３９とニップ部ＮＰまでの距離である。ｂは、ニップ部ＮＰと定着出口センサ２４０との間の距離である。ｅｍｉｎは、画像形成装置１００において搬送可能な最小サイズのシートＰｍｉｎの搬送方向Ｘにおける長さである。ｄは、定着出口センサ２４０と定着出口ローラ対２１４のニップ部ＮＰ１との間の距離である。ｚは、定着モータ２６０を停止させるための停止信号をモータ制御部１０７へ送信した時から定着ローラ２１２が実際に停止するまでに定着ローラ２１２が回転することによりシートＰが移動する距離である。